(57)【特許請求の範囲】
【請求項１】
吸込口より吸い込んだ空気を熱交換して吹出口より吹出す壁掛け式空気調和機の室内機に、人の在否を検知する人体検知装置と、一対の音出力装置とを設け、前記音出力装置は、前記開口部の前方を、空気を透過するシートで覆い、前記室内機の幅方向の両端部にそれぞれ設けた音出力装置の間に、前記人体検知装置を配置した空気調和機。
【請求項２】
前記音出力装置の音軸は、前記人体検知装置の上下方向の検知範囲のうち中心より下方の領域に含まれる請求項１に記載の空気調和機。
【請求項３】
前記音出力装置は、開口部を備えた筐体と、前記筐体の内部に前記開口部と対向して設けられた振動板とを備え、前記開口部の周囲を緩衝材で覆い、前記緩衝材と前記室内機の外殻の内面とを密着させた請求項１または２に記載の空気調和機。
【発明の詳細な説明】
【技術分野】
【０００１】
本発明は音楽などの音出力機能を付加した空気調和機に関する。
【背景技術】
【０００２】
一般に家庭で使用される空気調和機は、通常、室内への騒音及び振動を抑制するために、コンプレッサ等の大きな騒音源、振動源となるものを室外機に配設し、騒音及び振動の少ないファンや熱交換器等を室内機に配設したセパレータ型が用いられている。上記室内機は部屋の壁面上部等に設置されて、室内が所望の温度となるよう空調動作を行っている。
【０００３】
そして、室内機の吹出口近傍にスピーカを配置し、スピーカから音楽が流れるようにして、快適性を向上させるものもある（例えば、特許文献１参照）。
【先行技術文献】
【特許文献】
【０００４】
【特許文献１】実用新案登録第３００３９３号公報
【発明の概要】
【発明が解決しようとする課題】
【０００５】
しかしながら、上記特許文献１には、良質な音楽など発生させるためには、具体的にどのような位置にスピーカを配置すべきであるかは、開示されていない。
【０００６】
本発明はこのような点に鑑みてなしたもので、音出力装置を配置しても、室内機を大型化することなく、室内の使用者に良質な音を届けられるように音出力装置を配置した空気調和機を提供することを目的としたものである。
【課題を解決するための手段】
【０００７】
本発明は、前記目的を達成するために、吸込口より吸い込んだ空気を熱交換して吹出口より吹出す壁掛け式空気調和機の室内機に、人の在否を検知する人体検知装置と、一対の音出力装置とを設け、前記室内機の幅方向の両端部にそれぞれ設けた音出力装置の間に、前記人体検知装置を配置した構成としてある。
【０００８】
これにより、室内機の内部空間に音出力装置などを空間効率よく設置できるとともに、左右２つの音出力装置からステレオフォニック再生することにより、空間的広がりのある音を発生させることができる。
【発明の効果】
【０００９】
本発明は、上記した構成によって、室内機を大型化させることなく、良質な音を発生させることができる。
【図面の簡単な説明】
【００１０】
【図１】本発明の実施の形態１に係る空気調和機における室内機の斜視図
【図２】同実施の形態１に係る空気調和機の室内機の正面図
【図３】同実施の形態１に係る空気調和機の室内機の断面図
【図４】同実施の形態１に係る空気調和機の背面カバー内の部品配置図
【図５】同実施の形態１に係る空気調和機の図４に示す背面カバーのＡＡ断面図
【図６】同実施の形態１に係る空気調和機のスピーカユニットの斜視図
【図７】同実施の形態１に係る空気調和機のスピーカユニットの斜視図
【図８】同実施の形態１における人体検知装置の水平方向の検知領域図
【図９】同実施の形態１における人体検知装置の垂直方向の検知領域図
【図１０】同実施の形態１に係る空気調和機を上方から見たときの斜視図
【図１１】同実施の形態１に係る空気調和機の室内機上面に設置する光源ユニットの斜視図
【図１２】同実施の形態１に係る空気調和機の光源ユニットの分解斜視図
【図１３】同実施の形態１に係る空気調和機の図１１に示す光源ユニットのＡ−Ａ断面図
【図１４】同実施の形態１に係る空気調和機の図１１に示す光源ユニットの部分上面図
【図１５】同実施の形態１に係る空気調和機の光源ユニットの制御を示す制御フロー図
【図１６】（ａ）（ｂ）同実施の形態１に係る空気調和機の光源ユニットの制御を示すタイムチャート
【発明を実施するための形態】
【００１１】
本発明の一態様による空気調和機は、吸込口より吸い込んだ空気を熱交換して吹出口より吹出す壁掛け式空気調和機の室内機に、人の在否を検知する人体検知装置と、一対の音出力装置とを設け、前記室内機の幅方向の両端部にそれぞれ設けた音出力装置の間に、前記人体検知装置を配置した構成としてある。
【００１２】
これにより、室内機の内部空間に音出力装置などを空間効率よく設置できるとともに、左右２つの音出力装置からステレオフォニック再生することにより、空間的広がりのある音を発生させることができる。
【００１３】
第２の形態は、第１の形態において、前記音出力装置の音軸は、前記人体検知装置の上下方向の検知範囲のうち中心より下方の領域に含まれる構成としてある。
【００１４】
これにより、人が存在する可能性の高い領域であって、特に室内機からの冷風や温風が快適に感じられる位置にいる人に対して、良質の音を発生させることができる。
【００１５】
第３の形態は、第１または第２の形態において、前記音出力装置は、開口部を備えた筐体と、前記筐体の内部に前記開口部と対向して設けられた振動板とを備え、前記開口部の周囲を緩衝材で覆い、前記緩衝材と前記室内機の外殻の内面とを密着させた構成としてある。
【００１６】
これにより、室内機の外殻の内面で結露した水分が、開口部から筐体内部に侵入することを低減できる。
【００１７】
第４の形態は、第１〜第３の形態において、前記音出力装置は、前記開口部の前方を、空気を透過するシートで覆った構成としてある。
【００１８】
これにより、吹出口より吹出される空気に含まれる水分などが、振動板で結露することを防止できる。
【００１９】
以下、本発明の空気調和機に係る実施の形態について、添付の図面を参照しながら説明する。
【００２０】
なお、以下の実施の形態の空気調和機においては、具体的な構成について説明するが、
本発明は、以下の実施の形態の具体的な構成に限定されるものではなく、同様の技術的思想に基づく構成が適用された各種空気調和機を含むものである。
【００２１】
（実施の形態１）
本実施の形態に係る空気調和機は、室内機と室外機とを配管等で接続したセパレータ型の空気調和機である。室外機には、圧縮機や熱交換器や減圧装置などが収納されている。図１〜図３は、本実施の形態に係る壁掛け式空気調和機の室内機の全体構成を示す。同図１〜図３において、室内機本体１は、内部に熱交換器２、送風ファン３を備えている。室内機本体１に設けられた熱交換器２と、室外機に設けられた圧縮機、熱交換器、減圧装置等を配管によって接続することで、冷凍サイクルを構成している。また、室内機本体１は、上方および前方に吸込口４を下方に吹出口５をそれぞれ有しており、吸込口４から吸い込んだ空気は熱交換器２を通過し、これと熱交換して吹出口５から室内に送風するように構成されている。吸込口４と熱交換器２との間には、熱交換器２を通過する空気の粉塵を除去するためにエアフィルタ６が設けられている。
【００２２】
エアフィルタ６の前面（前方および上方）には、エアフィルタ６の表面に付着した塵埃を除去するエアフィルタ清掃装置３５が設けられている。エアフィルタ清掃装置３５は、エアフィルタ６の上下端に設けられた一対のガイドレールに沿って、室内機の幅方向（左右方向）に移動する吸引ノズルと、吸引ノズルの下端に接続された吸引ダクトと、吸引ダクトの他端側に接続された吸引装置等から構成されている。
【００２３】
エアフィルタ６の清掃開始が指示されると、吸引ノズルがエアフィルタ６の表面に沿って移動するとともに、吸引装置が吸引を開始する。これによって、エアフィルタ６の表面に付着した塵埃は、吸引ノズル、吸引ダクト内を通って吸引装置へと吸引される。
【００２４】
なお、エアフィルタ清掃装置３５は、エアフィルタ６を移動可能に保持するエアフィルタ搬送装置と、エアフィルタ６の表面に付着した塵埃を除去するブラシと、ブラシが除去した塵埃を収納する塵埃収納部等から構成されていてもよい。
【００２５】
この場合には、エアフィルタ６の清掃開始が指示されると、エアフィルタ６がブラシに対して上下方向に移動する。これによって、エアフィルタ６の表面に付着した塵埃は、ブラシによって掻き落とされ、塵埃収納部へと収納される。
【００２６】
また、吹出口５には上下風向変更羽根７と左右風向変更羽根（図示せず）が備えられており、室内へ送風する際の上下及び左右方向の位置を変更することができる。また、さらに室内機本体１は、その前面に室内機本体１の前面を覆う前面パネル８が設けられており、上部の軸支部（図示せず）を中心に下方部を手前上方に回動させて開くことができるようになっていて、エアフィルタ６や制御ユニット９がメンテナンスできるようになっている。
【００２７】
また、室内機本体１は、吹出口５の上方であって前方側に、下面パネル１０が設けられている。下面パネル１０は、下部の軸支部（図示せず）を中心に上方部を手前下方に回動させて開くことができるようになっている。下面パネル１０は、両端部にそれぞれ設けられた多孔部４１と、長手方向の略中央部に設けられた透過部４０とを備えている。また、下面パネル１０の背面側は、略全体が、背面カバー４２で覆われている。透過部４０は、下面パネル１０の前方からは内部構造を見えにくくする一方、後述する人体検知装置４４が発する赤外線を透過する樹脂で形成されている。多孔部４１には、下面パネル１０を貫通する複数の小孔が設けられている。
【００２８】
下面パネル１０のうち、多孔部４１が設けられた位置の背面側には、音出力装置である
一対のスピーカユニット４３が設けられている（図４参照）。また、透過部４０が設けられた位置の背面側には、後述する人体検知装置４４や、空気調和機の稼働状況を表示する液晶やＬＥＤランプから構成された表示部（図示せず）や、リモコン１１からの指示信号を受信して制御ユニット９に伝送する受信部（図示せず）が設けられている。
【００２９】
また、図３に示すように、スピーカユニット４３は、エアフィルタ清掃装置３５の前方に設けられている。また、スピーカユニット４３は、エアフィルタ清掃装置３５の下方に設けられている。
【００３０】
そして、前記制御ユニット９は上記受信部を介して伝達されるリモコン１１からの指示に基づいて室外機（図示せず）に設置されている圧縮機（図示せず）や前記送風ファン３等を駆動し空調運転を制御するようになっている。
【００３１】
下面パネル１０の背面側の部品配置について、図４を用いて説明する。図４は、下面パネル１０を透視した状態での背面カバー４２内の部品配置図である。図４に示すように、背面カバー４２には、一対のスピーカユニット４３と、人体を検知する人体検知装置４４と、音出力装置基板４５とを備えている。一対のスピーカユニット４３は、音出力装置基板４５にリード線によって電気的に接続されており、音出力装置基板４５を介して供給される電力や、制御信号により、ステレオフォニック再生することができる。
【００３２】
左側スピーカユニット４３ａは、室内機本体１に向かって左側の端部に、右側スピーカユニット４３ｂは、右側の端部にそれぞれ配置されている。人体検知装置４４は、左側スピーカユニット４３ａと右側スピーカユニット４３ｂとの間に配置されている。音出力装置基板４５は、人体検知装置４４といずれか一方のスピーカユニット４３（図４の場合には、左側スピーカユニット４３ａ）との間に配置されている。
【００３３】
図４に示すように、スピーカユニット４３は、それぞれ、下方を背面カバー４２の下壁４２ａによって覆われている。また、スピーカユニット４３の上方と側方は、背面カバー４２に設けられた略コの字状の隔壁４２ｂによって覆われている。つまり、スピーカユニット４３は、前方を下面パネル１０で、後方を背面カバー４２で、下方を下壁４２ａで、上方と側方とを隔壁４２ｂで覆われている。そして、スピーカユニット４３と音出力装置基板４５とを接続するリード線は、隔壁４２ｂの外側（スピーカユニット４３が設けられていない側）に沿って、配線されている。
【００３４】
スピーカユニット４３について、図５から図７を用いて説明する。図５は、図４におけるＡＡ断面図であり、図６、図７は、スピーカユニット４３の斜視図である。
【００３５】
スピーカユニット４３は、略直方体の筐体５０に内部に、振動板と、振動板に接続されたコイルと、コイルの周囲に設けられた磁石とを備えたスピーカ本体（図示せず）を備えている。筐体５０は、両側面からそれぞれ突出するフランジ部５０ｂを備えており、スピーカユニット４３は、フランジ部５０ｂを介して、背面カバー４２にビス止めされている。筐体５０の前面には、振動板と対向して開口部５０ａが設けられている。
【００３６】
音出力装置基板４５からの電気がコイルに与えられると、コイル周囲に設けられた磁石の磁力と反応して、振動板が振動する。この振動はさらに空気を振動させて、それが空気圧の変化となり、開口部５０ａ、多孔部４１を通過して、音となって人に聞こえる。
【００３７】
筐体５０の前面には、開口部５０ａの周囲を覆うように、ポリエチレンフォームなどの緩衝材５０ｃが設けられている。そして、緩衝材５０ｃの前面は、下面パネル１０の内面と密着している（図５参照）。
【００３８】
さらに、図７に示すように、開口部５０ａの前面は、空気を透過するシート５０ｄで覆われている。このシート５０ｄは、空気の透過性が水の透過性より高いことが望ましい。
【００３９】
このように、本実施の形態では、スピーカユニット４３は、エアフィルタ清掃装置３５の前方かつ下方、または、前方、または、下方に設けられているので、エアフィルタ清掃装置３５の駆動音（吸引装置の吸引音や、エアフィルタ６が移動する音）の影響を受けず、良質な音を使用者に届けることができる。
【００４０】
また、左側スピーカユニット４３ａと右側スピーカユニット４３ｂとを室内機本体１の幅方向の両端部にそれぞれ設け、その間に人体検知装置４４を配置することで、室内機本体１を大型化することなく、左右一対のスピーカユニットの間の距離を大きくとることができ、ステレオフォニック再生時に、空間的広がりのある音を発生させることができる。
【００４１】
また、スピーカユニット４３は、スピーカ本体を、開口部５０ａ以外を覆った筐体５０内に収容し、さらにその周囲を、下面パネル１０、背面カバー４２、下壁４２ａ、隔壁４２ｂで覆うことで、不必要な方向に音漏れすることがなく、使用者に良質な音を届けることができる。
【００４２】
また、スピーカユニット４３は、背面カバー４２には密着固定される一方、下面パネル１０とは、緩衝材５０ｃを介して接しているのみであるため、スピーカユニット４３の振動体の振動が、下面パネル１０に伝わることを防止でき、下面パネル１０から異音（びびり音）が発生することを防止できる。
【００４３】
また、スピーカユニット４３と音出力装置基板４５とを接続するリード線は、隔壁４２ｂの外側に沿って配線されているので、スピーカユニット４３の振動体の振動が、リード線に伝わることを防止でき、リード線から異音（びびり音）が発生することを防止できる。
【００４４】
さらに、空気調和機の冷房運転時に、吹出口５から吹出される冷たい空気が下面パネル１０の表面に触れると、下面パネル１０の内面に結露が生じることがある。しかし、本実施の形態では、開口部５０ａの周囲を緩衝材５０ｃで覆っているので、下面パネル１０の内面に結露した水分が、開口部５０ａから筐体５０内部に侵入することを低減できる。
【００４５】
さらに、開口部５０ａの前方を、空気を透過するシート５０ｄで覆うことで、吹出口５より吹出される空気に含まれる水分などが、多孔部４１の複数の小孔から浸入したとしても、開口部５０ａから筐体５０内部に侵入することは防止できる。このため、空気に含まれる水分などが、振動板で結露することを防止できる。
【００４６】
なお、シート５０ｄは下面パネル１０の多孔部４１の背面側を覆うように設けても良いが、開口部５０ａの前方を覆うほうが望ましい。この理由を以下に説明する。スピーカユニット４３が設けられているのは、音楽再生の専用機器（音響機器）に比較して、輸送時や設置時に乱雑に扱われる可能性が高い空気調和機である。このため、輸送時や設置時の振動などによって、緩衝材と下面パネル１０の内面との密着性が弱くなってしまう場合も想定される。緩衝材と下面パネル１０の内面との密着性が弱くなってしまうと、そこから水分等が浸入する可能性があるが、このような場合であっても、水分が筐体５０内部に浸入することを防止できるためである。
【００４７】
人体検知装置４４は、図４に示すように、複数（例えば、三つ）のセンサユニット４４ａ、４４ｂ、４４ｃで構成されている。そして、各センサユニット４４ａ、４４ｂ、４４
ｃのセンサ素子は、人体から放射される赤外線を検知する焦電素子型の赤外線センサにより構成しており、各センサユニット４４ａ、４４ｂ、４４ｃのセンサ素子が検知する赤外線量の変化により検知領域の人の存否を検出し、制御ユニット９はその赤外線量の変化に応じて出力するパルス信号に基づき人の在否を判定する。
【００４８】
そして、センサユニット４４ａ、４４ｂ、４４ｃは、室内機本体１の背面（垂直面）に対して傾斜して設けられているために、室内機本体１より前方下方の空調すべき領域を検知可能となっている。
【００４９】
より具体的には、図８に示すようにａ〜ｇの複数の領域の人体検知を可能にしている。例えば、センサユニット４４ａは領域ａ、領域ｂ、領域ｃ、領域ｄを検知可能に構成し、センサユニット４４ｂは領域ｂ、領域ｃ、領域ｅ、領域ｆを検知可能に構成し、センサユニット４４ｃは領域ｃ、領域ｄ、領域ｆ、領域ｇを検知可能に構成する。このように構成することによって、センサユニット４４ａとセンサユニット４４ｂで人体を検知し、センサユニット４４ｃで人体を検知しない場合、人（使用者）は、領域ｂに居るとの判定ができる。なお、本実施の形態では人体検知装置４４を用いて検知できる領域を七つとしたが、これに限定されることはない。
【００５０】
また、人体検知装置４４は、図９に示すように、垂直方向の角度（俯角、水平線から下方向に測定した角度）αで、例えば、約１５度から約８０度の領域が検知可能に構成している。室内機本体１の取り付け位置（高さ方向）は、標準的には約２ｍの高さであるので、この場合には、床面における室内機本体１から距離では、約０．３５ｍから約７．５ｍまでの領域が検知可能である。
【００５１】
一方、スピーカユニット４３は、水平方向においては、室内機本体１の背面（垂直面）に対して並行に設けられている。具体的には、図８中の一点鎖線で示すように、左側スピーカユニット４３ａ、右側スピーカユニット４３ｂの音軸は、それぞれ略平行で、室内機本体１から正面に向かうように、スピーカユニット４３が設けられている。ここで、音軸とは、音が伝播する領域の中心軸であり、通常、振動板の振動方向である。
【００５２】
また、垂直方向においては、音軸が、図９中の斜線領域で示す領域に含まれるように、スピーカユニット４３は、室内機本体１の背面（垂直面）に対して傾斜して設けられている。具体的には、スピーカユニット４３の音軸は、人体検知装置の上下方向の検知範囲のうち中心より下方の領域に含まれるように設けられている。そして、望ましくは、人体検知装置４４の検知範囲を、室内機本体１からの距離に応じて、近距離領域（領域ａ）、中距離領域（領域ｂ〜ｄ）、遠距離領域（領域ｅ〜ｇ）の３つの領域に区分した場合に、近距離領域のうち遠方の略半分の領域と中距離領域のうち近方の略半分の領域と合わせた領域に含まれるように設けられている。また、より望ましくは、近距離領域と中距離領域とが接する面に含まれるように設けられている。
【００５３】
これによれば、室内機本体１から発生される音楽等を積極的に聴く可能性の高い、近距離領域（領域ａ）に座っている使用者や横になっている使用者の頭部に向けて、スピーカユニット４３から音楽等を発することができるので、使用者に良質な音楽等を届けることができる。なお、近距離領域は、人が存在する可能性の高い領域であって、特に室内機本体１からの冷風や温風が快適に感じられる領域でもある。
【００５４】
特に、空気調和機は、その冷房能力や暖房能力に応じて、設置される部屋に最適な大きさがあるが、人体検知装置４４の検知範囲に応じて、スピーカユニット４３の設置角度を設定することで、冷房能力や暖房能力が異なる様々な機種について、使用者に最適な音楽等を届けられる構成とすることができる。
【００５５】
なお、本実施の形態では、人体検知装置４４は、三つのセンサユニット４４ａ、４４ｂ、４４ｃで構成されているとして説明したが、中央のセンサユニット４４ａを省略して、二つのセンサユニット４４ｂ、４４ｃで構成してもよい。この場合には、センサユニット４４ｂは、領域ｂと領域ｅとを合わせた領域と、領域ｃと領域ｆとを合わせた領域とが、検知可能となる。また、センサユニット４４ｃは、領域ｃと領域ｆとを合わせた領域と、領域ｄと領域ｇとを合わせた領域とが、検知可能となる。この場合には、スピーカユニット４３の音軸は、領域ｂ〜ｄに含まれるように、スピーカユニット４３が設けられていることが望ましい。
【００５６】
以上のような構成の空気調和機では、制御ユニット９は、人体検知装置４４で出力される信号に基づいて、検知範囲を複数に分割した領域に、人が存在するか否かを判断する。例えば、人体検知装置４４で所定の検出時間（例えば、２分間）に人体検出される回数が所定の回数より多ければ、人が存在すると判断し、所定の回数より少なければ、人は存在していないと判断する。
【００５７】
また、制御ユニット９は、人体検知装置４４で出力される信号に基づいて、人体の活動量（動き）の大小を判断してもよい。ここで、活動量が大と判断される場合は、人体の動きが激しい状態であり、活動量が小と判断される場合は、人体の動きが静かな状態であることを意味する。人体検知装置４４で所定の検出時間（例えば、２分間）に人体検出される回数に応じて活動量を三段階で判断し、人体検出の回数が所定の回数Ｘよりも少ない場合に活動量が小と判断し、人体検出の回数が所定の回数Ｙよりも多い場合に活動量が大と判断してもよい（所定の回数Ｘ＜所定の回数Ｙとする）。
【００５８】
そして、本実施の形態の空気調和機では、人の存在する領域に応じて、上下風向変更羽根７と左右風向変更羽根の向きを調整する。例えば、人の存在する領域を空調領域と判定し、人の存在する領域が１つの場合は、その空調領域にいる人の上半身に気流が当たるように、上下風向変更羽根７及び左右風向変更羽根を固定する。また、人の存在する場所が複数存在する場合は、複数の空調領域を１つずつ空調していく。１つの空調領域を空調する時間は活動量により異なり、活動量の大きい領域を長く、活動量の小さい領域は小さく空調し、使用者の体感温度に合わせた空調を行ってもよい。
【００５９】
また、送風ファン３の回転数は、室内機本体１と空調領域が遠くなるほど気流の到達性が悪化するので、室内機本体１と空調領域が遠いほど、高い回転数を設定するようにしてある。そして空調領域での室内温度がリモコン１１で設定した基準室内設定温度となるように圧縮機や減圧装置などの冷凍サイクル構成部品を制御することによって、室内の空調運転を行う。
【００６０】
また、本実施の形態の空気調和機では、人の存在する領域に応じて、左側スピーカユニット４３ａ、右側スピーカユニット４３ｂの出力（音量）のバランスを調整する。より具体的には、室内機本体１からみて右側領域（領域ｂ、ｅ）に人が存在すると判断された場合には、右側スピーカユニット４３ｂの出力（音量）を左側スピーカユニット４３ａより大きくする。または、室内機本体１からみて左側領域（領域ｄ、ｇ）に人が存在すると判断された場合には、左側スピーカユニット４３ａの出力（音量）を右側スピーカユニット４３ｂより大きくする。
【００６１】
これによって、室内機本体１の正面に使用者が居ない場合であっても、使用者にとって左右バランスの良いステレオフォニック再生とすることができる。
【００６２】
そして更に、この壁掛け式空気調和機は、図３、図１０に示すように、その室内機本体
１上面の吸込口４より前方部分に、前方にいくほど下方に位置する前下がり状の傾斜面１２を形成し、この傾斜面１２に間接照明を行うための光源ユニット１４を設けてある。
【００６３】
この光源ユニット１４は図１０に示すように短冊状に形成し、室内機本体１の上面長手方向ほぼ全域にわたって位置するように設置してある。より詳細には、光源ユニット１４は、上方の吸込口４の開口のほぼ全幅にわたって配置されることが望ましい。
【００６４】
図１１〜図１４は上記光源ユニット１４を示し、この光源ユニット１４は図１２に示すように、光源ユニット１４の両側部に位置する光源体１５と、この光源体１５からの光を拡散してそれ自身が光源となる導光板１６を有し、これら光源体１５と導光板１６とを短冊状筐体１７で保持してユニット化してある。
【００６５】
上記短冊状筐体１７は、光源体１５と導光板１６を支持する支持基台１８と、前記導光板１６及び光源体１５の上方から前記支持基台１８に被せ装着してこれら光源体１５と導光板１６を固定するカバー１９とで構成してある。導光板１６と支持基台１８とは、それぞれ長手方向に２つの部品で構成されている。２つの導光板１６はそれぞれ平面（光源体１５が設けられた面と垂直な面）に微細加工が施されている。
【００６６】
前記光源体１５は、図１４に示すように例えばＬＥＤで構成した発光素子２０とこれを装着したプリント基板からなる光源体基板２１とからなり、図１１、図１２に示すように光源ユニット１４の両側部に位置していてそれぞれの発光素子２０が向かい合いそれぞれが中心方向に向かって互いに光を照射するように配置してある。
【００６７】
導光板１６と発光素子２０とは、０．２ｍｍ以上０．８ｍｍ以下の隙間を設けて配置されている。これによれば、導光板１６と発光素子２０が接触することによる発光素子の破損の防止と、発光素子２０からの光漏れ（発光素子２０からの光のうち導光板１６に入射されない光が生じること）の防止を両立できる。
【００６８】
そして、上記発光素子２０は発光色が異なる少なくとも二種類の発光素子２０ａ、２０ｂからなっていて、例えばこの実施の形態ではその一方の発光素子２０ａは白色系の発光、他方の発光素子２０ｂは暖色系の発光を行う。より詳細には、発光素子２０ａの色温度は、６０２０〜７０４０Ｋであり、発光素子２０ｂの色温度は、３２２０〜３７１０Ｋであることが望ましい。
【００６９】
また、２つの導光板１６はそれぞれの一端面を前記発光素子２０ａ、２０ｂに対向させ他端面を互いに突き合わせて配置してあり、発光素子２０ａ或いは２０ｂからの光を拡散して短冊状の長細い光源ユニット１４の全域を発光状態とし、天井面に向けて光を照射する。この時この導光板１６は導光板１６を中心に周囲に光を拡散放射し、少なくとも壁掛け式空気調和機本体の横幅よりも広い範囲の天井を照射可能となっている。つまり、２つの導光板１６は、ぞれぞれ、光源体１５を設けた側の端面から入射した光を、導光板１６の内面で全反射する際の光の反射角度を変え、平面から出射させることで、面発光を行うようになっている。さらに、図１１中に矢印Ｂで示すように、導光板１６から出射される光の中心軸は、平面の垂直方向から光源体１５を設けた側に向かって傾斜した方向になっている。
【００７０】
さらに２つの導光板１６は、０．７ｍｍ以上１．３ｍｍ以下の隙間を設けて、互いに突き合わせて配置されている。これによれば、２つの導光板１６が、熱膨張によって長手方向に伸びて互いに衝突することによる導光板１６の変形防止と、突き合わせ部の隙間を目立ちにくくすることを両立できる。これによって、導光板１６を２つに分割しても、むらの少ない均一な面発光が実現できる。
【００７１】
また、短冊状筐体１７の支持基台１８は長手方向に複数の壁板部２２ａ、２２ｂ、２２ｃ、２２ｄ（図１３参照）を設けて構成してあり、後方側に位置する一対の壁板部２２ａ、２２ｂにより構成する凹部２３に前記導光板１６を嵌合装着してある。また、前方側に位置する一対の壁板部２２ｃ、２２ｄにより構成する空間部２４（図１３参照）に前記光源体１５の発光素子２０に繋がるリード線２５を通し、二つある支持基台１８のうちの一方の端部に設けたリード線引出部２６（図１２参照）まで引き出し、他方の光源体１５の発光素子２０からのリード線（図示せず）とともに引き出して前記した制御ユニット９に接続し給電するようにしてある。
【００７２】
さらに前記短冊状筐体１７のカバー１９は、図１２に示すように前記した導光板１６の上面と対向する部分を切除した形の略コ字状に形成し、その両端部分に前記光源体１５の外面側を覆う側面カバー部２７が設けてある。図１３に示すように、前記カバー１９の前方は、長手方向に垂直な断面が略円弧状の平板で形成されている。一方、その平板の後方、すなわち、前記カバー１９の導光板１６の前端面側に位置する部分は階段状に隆起させてカバー壁板部２８を形成している。カバー壁板部２８の上端は後述するように前下がり上に設置される導光板１６の後方端Ｘよりも上方に位置するようにして前方水平方向への光を遮る遮光部の機能を果たすようにしてある。そして前記カバー壁板部２８の下端数カ所に係合爪片２９を形成し、この係合爪片２９を前記各支持基台１８の壁板部２２ｂと２２ｃとの間に形成した係合孔３０に嵌合弾着させて、支持基台１８を連結保持し、これらと一体になって短冊状筐体１７を構成している。
【００７３】
以上のように構成した上記光源ユニット１４は、この実施の形態では図１３に示すようにその導光板１６が室内機本体１上面の傾斜面１２に沿って前下がり状態になるように傾斜設置してある。なお、この光源ユニット１４の設置は前記前下がり状態の傾斜設置に限られるものではなく、例えば略水平状態や後ろ下がり傾斜設置等してもよいものである。
【００７４】
そして、上記光源ユニット１４は、図１に示すリモコン１１に設けた、光源ユニットを「入」「切」するスイッチである照明スイッチ３１によってその通電回路を開・閉可能なようにしてある。更に、前記リモコン１１に設けた運転スイッチ３２をオン操作、或いは同リモコン１１に設けた所定時刻もしくは所定時間後に空調運転を開始するように指示する「入」タイマースイッチ３３を操作することによって、当該指示した時間に点灯させることができるようにしてある。
【００７５】
また、同リモコン１１に設けた「切」タイマースイッチ３４を操作することによって所定時刻もしくは運転停止する所定時間前に点灯させ、所定時間後に消灯させることができるようにしてある。
【００７６】
なお、この実施の形態では、光源ユニット１４の発光素子２０が既に述べたように白色系と暖色系の二種類としてあって、運転スイッチ３２或いは「入」タイマースイッチ３３を操作した場合は白色系の発光素子２０ａを点灯させ、「切」タイマースイッチ３４を操作した場合は暖色系の発光素子２０ｂを点灯する構成としてある。
【００７７】
以上のように構成した空気調和機の動作について以下説明する。
【００７８】
まず、この空気調和機は一般的な空気調和機と同様、運転スイッチ３２によるオン／オフ指示、「入」タイマースイッチ３３及び「切」タイマースイッチ３４の操作による指示によって、それぞれの指示に応じた空気調和運転を行う。
【００７９】
そして、この空気調和機は、その室内機本体１の前面にスピーカユニット４３が設けて
あるので、運転スイッチ３２をオンして通常の空調運転を開始、もしくは「入」タイマースイッチ３３或いは「切」タイマースイッチ３４を操作してタイマー運転を行うと、音楽や音声を出力することが可能となる。出力される音楽などは、制御ユニット９や音出力装置基板４５に設けられたメモリ内に予め保存しておいたものでも良いし、音出力装置基板４５に設けられた近距離無線通信手段を介して通信される、この空気調和機以外に存在する音楽再生装置（デジタル・オーディオ・プレーヤー）等に保存された音楽等であってもよい。
【００８０】
この音楽などの再生は、リモコン１１に設けた、スピーカユニット４３を「入」「切」するスイッチであるスピーカ・スイッチを、オンしておけば実施でき、オフしておけば音楽再生なしの空調運転だけを行うことができる。すなわち、使用者の好みに応じて音楽再生をするかしないかの選択ができる。
【００８１】
また、この空気調和機は、その室内機本体１の上面に光源ユニット１４が設けてあるので、運転スイッチ３２をオンして通常の空調運転を開始、もしくは「入」タイマースイッチ３３或いは「切」タイマースイッチ３４を操作してタイマー運転を行うと、間接照明を行うことが可能となる。
【００８２】
この間接照明は、照明スイッチ３１をオンしてその給電回路を閉じておけば実施でき、オフしておけば間接照明なしの空調運転だけを行うことができる。すなわち、使用者の好みに応じて間接照明をするかしないかの選択ができる。
【００８３】
上記照明スイッチ３１をオンした状態で運転スイッチ３２をオンすると、空調運転とともに光源ユニット１４の発光素子２０が点灯し、間接照明を行うことができる。
【００８４】
また、照明スイッチ３１をオンした状態で「入」タイマースイッチ３３或いは「切」タイマースイッチ３４を操作してタイマー運転すると、そのタイマー運転内容に応じて光源ユニット１４の発光素子２０が点灯し、間接照明を行うことができる。
【００８５】
このタイマー運転時における光源ユニット１４の点灯制御を図１５の制御フロー図を用いて以下説明する。
【００８６】
図１５において、この光源ユニット制御は、まず運転指示有か否かを確認する（ステップＳ１）。
【００８７】
運転指示有の場合（ステップＳ１のＹ）、その運転指示が運転スイッチ３２オンによる通常運転指示か、「入」タイマースイッチ３３或いは「切」タイマースイッチ３４のいずれかの操作によるタイマー運転指示かを判定する（ステップＳ２）。
【００８８】
タイマー運転指示であれば（ステップＳ２のタイマー運転）、それがタイマー運転「入」指示かを確認する（ステップＳ３）。
【００８９】
タイマー運転「入」指示であれば（ステップＳ３のＹ）、タイマー時刻に到達したかを確認し（ステップＳ４）、到達した時点で空調運転を開始する（ステップＳ５）。そして照明スイッチ３１がオンされて照明点灯指示があるか否かを確認し（ステップＳ６）、照明点灯指示があれば（ステップＳ６のＹ）白色系の発光素子２０ａを点灯させて（ステップＳ７）間接照明を行う。
【００９０】
一方、前記タイマー運転指示がタイマー運転「切」の場合（ステップＳ３のＮ）、照明スイッチ３１がオンされて照明点灯指示があるか否かを確認し（ステップＳ９）し、照明
点灯指示があれば（ステップＳ９のＹ）、暖色系の発光素子２０ｂを点灯させて（ステップＳ１０）間接照明を行う。そして、所定時間、例えば使用者が眠りにつく程度の時間が経過すると（ステップ１１のＹ）、前記発光素子２０ｂを消灯させて（ステップＳ１２）間接照明を停止する。その後「切」タイマー設定時刻に到達すると、空調運転を停止する（ステップ１４）。
【００９１】
なお、前記タイマー運転指示か否かの判定（ステップＳ２）において、タイマー運転指示ではなく通常運転指示であれば（ステップＳ２の通常運転）、そのまま空調運転を開始し（ステップＳ５）、更に照明スイッチ３１がオンされて照明点灯指示があるか否かを確認し（ステップＳ６）、照明点灯指示があれば（ステップＳ６のＹ）白色系の発光素子２０ａを点灯させて（ステップＳ７）間接照明を行う。
【００９２】
図１６（ａ）（ｂ）は前記光源ユニット１４による間接照明例を示すタイムチャートで、以下これを用いて上記制御による空調運転の状況と発光素子２０の点灯状況を説明する。
【００９３】
まず、図１６（ａ）に示すように「入」タイマーを操作して予約時刻をｔ５に設定した場合は、ｔ５の所定時間前であるｔ５ａに予備運転を開始し、予約時刻ｔ５に到達すると空調運転を開始するとともに、暖色系の発光素子２０ｂを点灯させて間接照明を開始する。ここで、予備運転とは、予約時刻に室温がリモコン１１で設定された温度となるように、早めに空調運転を開始するものである。
【００９４】
一方、図１６（ｂ）に示すように空調運転中に「切」タイマーを操作して時刻ｔ１５に空調運転を停止するように設定した場合は、「切」タイマー設定とともに白色系の発光素子２０ａが消灯等して暖色系の発光素子２０ｂを点灯し、暖色系の間接照明を行う。そして、この間接照明を行っている暖色系の発光素子２０ｂは、「切」タイマーを設定した時刻ｔ１２から所定時間経過した時刻ｔ１３で消灯し、間接照明を停止する。その後、「切」タイマー時刻ｔ１５に到達すると、空調運転も停止する。なお、この例では前記発光素子２０ｂを消灯する所定時間前、例えば数十秒前に発光素子２０ｂの明るさを最小にし、時刻ｔ１５ａに到達すると消灯するようにしてある。
【００９５】
以上のように構成した空気調和機について、次にその間接照明付空気調和機としての作用効果を説明すると、この空気調和機は、室内機本体１上面に光源ユニット１４を設けてあるから、室内機本体１そのものが遮壁となって光源ユニット１４による間接照明が可能となる。
【００９６】
すなわち、使用者はこの空気調和機の室内機本体１を部屋の壁面に据え付けるだけで空気調和とともに間接照明が可能となる。したがって部屋の壁面に遮壁を新たに敷設して照明装置を付設するような必要がなく、既築住宅であっても容易かつ安価に間接照明を実現することができる。
【００９７】
また、上記空気調和機の室内機本体１は、部屋の壁面に遮壁を設けることなく据え付けることができる。したがって、従来と同様部屋の壁面の上部に据え付けることができ、その設置位置が低くなって使用者に圧迫感を与えたり、気流が遠くまで届かなくなるなどによって空調性能が低下するなどのことがなく、快適な空調が可能となる。  また、上記光源ユニット１４は短冊状に形成し、室内機本体１の上面長手方向に沿って設置してあるから、室内機本体１の長手方向略全域上方を光源ユニット１４で照射して明るくすることができる。
【００９８】
すなわち、壁掛式空気調和機に間接照明用の照明ユニットを付設する場合、室内機本体
１の一部、例えば本体長手方向の一方端部分に間接照明用の照明ユニットを付設する等のことが考えられるが、このような形で付設した場合に生じる問題点、すなわち室内機本体１の一方端部分の上方のみが明るくなるようなアンバランスさや貧弱さを解消し、室内機本体１の上方略全域を明るくして、形だけの間接照明ではなくゴージャスで本格的な間接照明とすることができる。
【００９９】
しかも、この実施の形態では、前記光源ユニット１４は室内機本体１上面の傾斜面１２に当該傾斜面１２と同様前下がり状態に傾斜設置してあるから、室内機本体１の前端上方もしくは前方上方の天井面を確実に明るくすることができる。すなわち、光源ユニット１４の光源となる導光板１６は前下がり傾斜していることによって室内機本体１の前端上方もしくは前方上方の天井面を照らし間接照明機能を確実に発揮させる。したがって、壁掛け式空気調和機の奥行き寸法が大きなものであっても良好な間接照明を実現することができる。
【０１００】
加えて、前記光源ユニット１４は発光素子２０の光を導光板１６によって拡散するから、室内機本体１の本体横幅よりも広い範囲を照射することもできる。したがって、使用者は壁掛け式空気調和機本体の下方付近に位置していても、室内機本体１の両側部照射及び光源ユニット１４の傾斜設置による前部照射により形成される室内機本体１周りの間接光によってほのかな間接照明を得ることができ、間接照明効果をより効果的かつ確実に発揮させることができる。
【０１０１】
以上によれば、標準的な設置状態を想定し、室内機本体１と天井面との間の間隔を１００ｍｍであるとすると、光源ユニット１４の真上（例えば、室内機本体１が設置された壁面からの距離が２００ｍｍの位置）の天井面では、１５０ｌｕｘ程度の照度とできる。そして、室内機本体１の前方（例えば、室内機本体１が設置された壁面からの距離が３５０ｍｍの位置）の天井面でも、５０ｌｕｘ以上の照度が確保できる。また、室内機本体１の本体横幅より外側（例えば、室内機本体１の中心から左右に４００ｍｍの位置）の天井面でも、５０ｌｕｘ以上の照度が確保できる。つまり、室内機本体１の前面や側面の上部であっても、光源ユニット１４の真上と比較して、約１／３以上の照度（ｌｕｘ値）を確保できる。
【０１０２】
また、前記室内機本体１の上面に取付ける光源ユニット１４は、短冊状筐体１７と、短冊状筐体１７の両端部から中央方向に向かって光を照射する光源体１５と、この光源体１５の照射光を短冊状筐体１７の長手方向に沿って導光する導光板１６とで構成してあるから、光源ユニット１４自体の高さを低くすることができ、壁掛け式空気調和機を正面遠方から見た場合であっても、間接照明の雰囲気を損なうことがないようにすることができる。
【０１０３】
そして、前記光源ユニット１４は、その短冊状筐体１７となる支持基台１８に導光板１６と光源体１５を支持させ、この導光板１６及び光源体１５の上から前記支持基台１８にカバー１９を被せ装着してユニット化してあるから、導光板１６及び光源体１５を確実に保持しユニット化して室内機本体１に装着でき、その取り付けも容易に行うことができる。
【０１０４】
更に、上記光源ユニット１４は、導光板１６を保持した短冊状筐体１７の両端部に光源体１５を設け、この光源体１５の発光素子２０から中央方向に向かって互いに向かい合うように光を照射させ導光板１６で拡散するようにしてあるから、光源ユニット１４が室内機本体１の長手方向に沿った長いものであっても少ない数の発光素子２０で室内機本体１の上方略全域を照射することができる。
【０１０５】
更にまた、上記光源ユニット１４による光の照射は導光板１６による光の拡散効果によってむらの少ない均一なものとすることができ、良質な間接照明を実現することができる。
【０１０６】
加えて、上記導光板１６によって既述したようにその光を室内機本体１の本体横幅よりも広い範囲を照射可能となり、光源ユニット１４を室内機本体１の横幅一杯の長さに形成しなくても、前記したように室内機本体１の本体横幅よりも広い範囲を照射することができる。
【０１０７】
一方、前記光源ユニット１４を設けた室内機本体１は、その上面の光源ユニット１４よりも前方部分が前下がり状態に傾斜する形となっているため、光源ユニット１４の導光板１６からの光によって室内機本体１上面の傾斜面１２前部が薄明るく照らされる可能性がある。特にこの実施の形態では、前記光源ユニット１４自体も前下がり状態に傾斜設置しているので、室内機本体１上面の傾斜面１２前部は薄明るく照らされやすいことになる。そして、このように室内機本体１の前部上面が薄明るくなると光源ユニット１４で照射している天井面の明るさがぼやけた形となる。
【０１０８】
しかしながら、本実施の形態では、光源ユニット１４の前方部分に光源となる導光板１６から前方へと放射される光を遮る遮光部、すなわち多重の壁板部２２あるいはリード線２５あるいはカバー１９およびそのカバー壁板部２８が設けてあるから、良質な間接照明を得ることができる。
【０１０９】
すなわち、短冊状筐体１７の支持基台１８の前部に設けた多重の壁板部２２ｂ、２２ｃ、２２ｄは、導光板１６の前端面から室内機本体１の前方上面へと放射される光を遮断し、光源ユニット１４よりも前方の室内機本体１上面部分が薄明るくなるのを防止する。
【０１１０】
また、上記多重の壁板部２２ｂ、２２ｃ、２２ｄのうちの前部の壁板部２２ｃ、２２ｄで形成した空間部２４に設けたリード線２５も、導光板１６の前端面から前方へと放射される光を遮断し、壁板部２２ｂ、２２ｃ、２２ｄによる遮効果と合わさってより確実に導光板１６の前端面から室内機本体１の前方上面へと放射される光を遮断することになる。そして、上記リード線２５は導光板１６の前端面から前方へと放射される光を遮断する多重の壁板部２２ｃ、２２ｄの間に形成した空間部２４を利用して引き出し配線することができ、構成の合理化が図れる。
【０１１１】
さらに、前記光源ユニット１４のカバー１９も、導光板１６の前方を覆って導光板１６の前端面から室内機本体１の前方上面へと放射される光を遮断し、光源ユニット１４よりも前方の室内機本体１上面部分が薄明るくなるのを防止することができる。また、光源ユニット１４の一部分から前方に光が漏れることを防止できる。
【０１１２】
特に、この実施の形態では、光源ユニット１４自体を前下がり状態に傾斜設置しているため、導光板１６の特に上面から放射される光の一部が光源ユニット１４よりも前方の室内機本体１上面部分を薄明るく照らす可能性があるが、この光も上記導光板１６の前方部を覆うカバー１９にカバー壁板部２８を設けて遮光し、光源ユニット１４よりも前方の室内機本体１上面部分が薄明るくなるのを防止することができる。すなわち、導光板１６の前方部を覆うカバー１９に設けたカバー壁板部２８が導光板１６の後端部Ｘよりも高位置まで立設設定してあるので、導光板１６上面から前方への光を遮り、光源ユニット１４よりも前方の室内機本体１上面部分が薄明るくなるのを防止することができる。
【０１１３】
このように壁板部２２あるいはリード線２５あるいはカバー１９及びそのカバー壁板部２８からなる遮光部はそのいずれかもしくは複数が前下がり状態の光源ユニット１４から
の光を遮って光源ユニット１４よりも前方の室内機本体１上面部分を照らしてこの部分が薄明るくなるのを防止することができ、天井面に形成される間接光をくっきりと浮かび上がらせて良質な間接照明とすることができる。
【０１１４】
なお、上記遮光部となる壁板部２２あるいはリード線２５あるいはカバー１９及びそのカバー壁板部２８はそのすべてを具備させることによって遮光効果を高いものとすることができるが、そのすべてを必要とするものではなく、少なくとも導光板１６の前端面に位置する壁板部２２ｂを遮光部として備えておればよいものである。
【０１１５】
また、この実施の形態では遮光に関しては更に次のような効果も備えている。すなわち、前記光源ユニット１４の短冊状筐体１７を構成するカバー１９には、その両端部分に光源体１５を覆う側面カバー部２７を設けてあるから、光源ユニット１４の両側部から光源体１５の発光素子２０からの光もしくは導光板１６両側部からの光が横方向に漏れるのを防止することができる。これにより、室内機本体１の側方部が一部明るくなって間接照明効果を低下させてしまうのを防止でき、更に良質な間接照明とすることができる。
【０１１６】
さらにまたこの実施の形態の光源ユニット１４は、その制御例で説明したように「入」タイマー設定時は白色系の発光素子２０ａを点灯させて間接照明を行い、「切」タイマー設定時は暖色系の発光素子２０ｂを点灯させて間接照明を行う。したがって、「入」タイマーを設定して空調運転を開始させる起床時のようなときには、太陽光に近い白色系の間接照明を行って目覚めやすくするとともに活動的な雰囲気を創出することができる。そして、「切」タイマーを設定する夜間の休息時や就寝時等は、暖色系の光源体を点灯させて間接照明を行って安らぎを与えるとともに眠りやすい雰囲気を創出することができる。すなわち、使用者の生活シーンに応じて最適な間接照明が可能となり、空調効果と相まってより快適な空間の創出が可能となる。
【０１１７】
しかも、上記白色系、暖色系の照明切換は「入」タイマー及び「切」タイマーに連動して自動的に行われるので、使い勝手もよい。
【０１１８】
さらに前記光源ユニット１４による間接照明は、照明スイッチ３１によって間接照明有もしくは間接照明無に任意に選択することができ、好みに応じて使い分けられるので使い勝手は一段と良好なものとなる。
【０１１９】
以上、本発明に係る空気調和機について、上記実施の形態を用いて説明してきたが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【０１２０】
例えば、遮光部となる壁板部２２あるいはリード線２５あるいはカバー１９及びそのカバー壁板部２８はそのすべてを具備することによって遮光効果の高いものとすることができるが、既に述べたように必ずしもそのすべてを必要とするものではなく、少なくとも導光板１６の前端面に位置する壁板部２２ｂを遮光部として備えておればよいものである。
【０１２１】
また光源ユニット１４の遮光部となる壁板部２２は多重でなくても導光板１６の前端部に対向する壁板部２２ｂ一つであってもよいし、リード線２５も必ずしも導光板１６の前方に配線しなければならないというものでもない。
【０１２２】
さらに、カバー１９に隆起させて設けたカバー壁板部２８も、光源ユニット１４、すなわち導光板１６を前下がり状に傾斜設置しなければ必ずしも必要としないものである。
【０１２３】
また、間接照明の照明色は白色系及び暖色系の二色だけではなく暖色系から白色系の間を数段階に切り換えられるようにしてもよいし、間接照明も照明スイッチ３１を設けることなく空調運転時は常に間接照明を行うようにしてもよい。
【０１２４】
また、照明スイッチ３１の操作によって、空気調和機の運転とは無関係に、光源ユニット１４の点灯または消灯させる場合があってもよい、等々である。
【産業上の利用可能性】
【０１２５】
本発明は、室内機を大型化させることなく、室内機から良質な音楽等を発生させることができる。よって商業施設や一般家庭等で使用される空気調和機として有用である。
【符号の説明】
【０１２６】
１  室内機本体
２  熱交換器
３  送風ファン
４  吸込口
５  吹出口
６  エアフィルタ
７  上下風向変更羽根
８  前面パネル
９  制御ユニット
１０  下面パネル
１１  リモコン
１２  傾斜面
１４  光源ユニット
１５  光源体
１６  導光板
１７  短冊状筐体
１８  支持基台
１９  カバー（遮光部）
２０、２０ａ、２０ｂ  発光素子
２１  光源体基板
２２、２２ａ、２２ｂ、２２ｃ、２２ｄ  壁板部（遮光部）
２３  凹部
２４  空間部
２５  リード線（遮光部）
２６  リード線引出部
２７  側面カバー部
２８  カバー壁板部（遮光部）
２９  係合爪片
３０  係合孔
３１  照明スイッチ
３２  運転スイッチ
３３  「入」タイマースイッチ
３４  「切」タイマースイッチ
３５  エアフィルタ清掃装置
４０  透過部
４１  多孔部
４２  背面カバー
４２ａ  下壁
４２ｂ、４２ｃ  隔壁
４３  スピーカユニット（音出力装置）
４３ａ  左側スピーカユニット
４３ｂ  右側スピーカユニット
４４  人体検知装置
４４ａ、４４ｂ、４４ｃ  センサユニット
４５  音出力装置基板
５０  筐体
５０ａ  開口部
５０ｂ  フランジ部
５０ｃ  緩衝材
５０ｄ  シート
【図１】
0006273496.tif 000002
【図２】
0006273496.tif 000003
【図３】
0006273496.tif 000004
【図４】
0006273496.tif 000005
【図５】
0006273496.tif 000006
【図６】
0006273496.tif 000007
【図７】
0006273496.tif 000008
【図８】
0006273496.tif 000009
【図９】
0006273496.tif 000010
【図１０】
0006273496.tif 000011
【図１１】
0006273496.tif 000012
【図１２】
0006273496.tif 000013
【図１３】
0006273496.tif 000014
【図１４】
0006273496.tif 000015
【図１５】
0006273496.tif 000016
【図１６】
0006273496.tif 000017